(57)【要約】【課題】調理時には調理本を見易い状態でアイレベルゾーンに保持しておくことができる吊下げラック板を備えるキッチン用吊戸棚を提供する。【解決手段】キッチンカウンター１１の上方に設けられ、底板１７の下方の収納凹部１８に吊下げラック板１４が出入れ可能に収納されるキッチン用吊戸棚１０であって、収納凹部１８は、底板１７の周縁から下方に延設する下部周壁１９に囲まれて形成されており、吊下げラック板１４は、収納凹部１８の背面側の端部に回動可能に軸支２７されており、収納凹部１８の背面側から下方に吊下げられた使用状態と、正面側に回動させて収納凹部１８に嵌め込まれた収納状態とを切り換えることができるようになっている。吊下げラック板１４は、折り畳みヒンジ部２０ａを介して折畳み可能な構成を備えている。【選択図】図２
2006192262.tif 000002
【特許請求の範囲】
【請求項１】
キッチンカウンターの上方に設けられ、底板の下方の収納凹部に吊下げラック板が出入れ可能に収納されるキッチン用吊戸棚であって、
前記収納凹部は、前記底板の周縁から下方に延設する下部周壁に囲まれて形成されており、
前記吊下げラック板は、前記収納凹部の内側に回動可能に軸支されており、前記収納凹部から下方に吊下げられた使用状態と、上方に回動させて前記収納凹部に嵌め込まれた収納状態とを切り換えることができるようになっているキッチン用吊戸棚。
【請求項２】
前記吊下げラック板は、前記収納凹部の背面側の端部に回動可能に軸支されており、前記収納凹部の背面側から下方に吊下げられた使用状態と、正面側に回動させて前記収納凹部に嵌め込まれた収納状態とを切り換えることができるようになっている請求項１に記載のキッチン用吊戸棚。
【請求項３】
前記吊下げラック板は、前記収納凹部の正面側の端部に回動可能に軸支されており、前記収納凹部の正面側から下方に吊下げられた使用状態と、背面側に回動させて前記収納凹部に嵌め込まれた収納状態とを切り換えることができるようになっている請求項１に記載のキッチン用吊戸棚。
【請求項４】
前記吊下げラック板は、回動可能に軸支される回動軸と平行な折り畳みヒンジ部を介して少なくとも一箇所以上で折畳み可能な構成を備えており、折畳んだ状態で前記収納凹部に嵌め込まれる請求項１〜３のいずれかに記載のキッチン用吊戸棚。
【発明の詳細な説明】
【技術分野】
【０００１】
本発明は、キッチン用吊戸棚に関し、特にキッチンカウンターの上方に設けられ、底板の下方の収納凹部に吊下げラック板が出入れ可能に収納されるキッチン用吊戸棚に関する。
【背景技術】
【０００２】
例えば水槽や調理台等を備えたキッチンカウンターの上方の壁には、一般に吊戸棚が配置されており、この吊戸棚とキッチンカウンターとの間の例えば６００〜１０００ｍｍ程度の高さの作業空間は、アイレベルゾーンと呼ばれている。アイレベルゾーンは、屈んだり背伸びをすることなしに目線や手が届き易く、作業をしやすい空間となっている。また、近年、このようなアイレベルゾーンを例えばダイニングスペースに向けて開放した、いわゆる対面式キッチンと呼ばれるものも多く採用されている。
【０００３】
このようなアイレベルゾーンでは、例えばキッチンカウンターの上に食品、食器、調理器具、洗剤等を置いたとしても、これらと上方の吊戸棚との間には、相当の高さの空間が残置されることになるため、残置された空間を有効活用するべく、吊戸棚の底板に支持させるようにして、アイレベル収納ラック、ふきん掛け等をアイレベルゾーンに設置したものも開示されている（例えば、特許文献１、特許文献２参照）。
【特許文献１】特開平１１−２３５２４３号公報
【特許文献２】特開平５−３０５０１４号公報
【発明の開示】
【発明が解決しようとする課題】
【０００４】
一方、キッチンでの調理時には、例えばレシピ等の調理本を見ながら調理を行う場合があるが、このような調理本の置き場所に困ることがある。すなわち、調理本を参考にする際には、例えば当該調理本の指示に従って、多くの食材や調理具をキッチンカウンターの上に並べておく必要を生じて、キッチンカウンターの上の見やすい位置に調理本を配置するスペースを確保することが困難となり、また調理本を濡らしたり汚したりし易くなる。
【０００５】
また、特許文献１に記載のアイレベル収納ラックや、特許文献２に記載のふきん掛け等を利用して、目線の届き易いアイレベルゾーンに調理本を配置することも考えられるが、これらは、調理本を見易い状態に保持するのに適した構造を備えておらず、また特に対面式キッチンの場合には、下方から観た際の吊戸棚の美観を損ない易い。
【０００６】
本発明は、このような従来の課題に着目してなされたものであり、調理時には例えば調理本を見易い状態でアイレベルゾーンに保持しておくことができると共に、非使用時には、吊戸棚の下部に目立たないように容易に収納することのできる吊下げラック板を備えるキッチン用吊戸棚を提供することを目的とする。
【課題を解決するための手段】
【０００７】
本発明は、キッチンカウンターの上方に設けられ、底板の下方の収納凹部に吊下げラック板が出入れ可能に収納されるキッチン用吊戸棚であって、前記収納凹部は、前記底板の周縁から下方に延設する下部周壁に囲まれて形成されており、前記吊下げラック板は、前記収納凹部の内側に回動可能に軸支されており、前記収納凹部から下方に吊下げられた使用状態と、上方に回動させて前記収納凹部に嵌め込まれた収納状態とを切り換えることができるようになっているキッチン用吊戸棚を提供することにより、上記目的を達成したものである。
【０００８】
また、本発明のキッチン用吊戸棚では、前記吊下げラック板は、前記収納凹部の背面側の端部に回動可能に軸支されており、前記収納凹部の背面側から下方に吊下げられた使用状態と、正面側に回動させて前記収納凹部に嵌め込まれた収納状態とを切り換えることができるようになっていることが好ましい。
【０００９】
さらに、本発明のキッチン用吊戸棚では、前記吊下げラック板は、前記収納凹部の正面側の端部に回動可能に軸支されており、前記収納凹部の正面側から下方に吊下げられた使用状態と、背面側に回動させて前記収納凹部に嵌め込まれた収納状態とを切り換えることができるようになっていることが好ましい。
【００１０】
さらにまた、本発明のキッチン用吊戸棚では、前記吊下げラック板は、回動可能に軸支される回動軸と平行な折り畳みヒンジ部を介して少なくとも一箇所以上で折畳み可能な構成を備えており、折畳んだ状態で前記収納凹部に嵌め込まれるようになっていることが好ましい。
【発明の効果】
【００１１】
本発明のキッチン用吊戸棚によれば、調理時には例えば調理本を吊下げラック板によって見易い状態でアイレベルゾーンに保持しておくことができると共に、非使用時には、吊戸棚の下部に吊下げラック板を目立たないように容易に収納することができる。
【発明を実施するための最良の形態】
【００１２】
本発明の好ましい第１実施形態に係るキッチン用吊戸棚１０は、図１に示すように、一例として、キッチンカウンター１１とこれの上方に設けられた当該吊戸棚１０との間の例えば６００〜１０００ｍｍ程度の高さのアイレベルゾーン１３を、その一分を除いて例えばダイニングスペースに向けて開放した対面式キッチンにおいて採用されたものである。また本第１実施形態のキッチン用吊戸棚１０は、調理時に、当該吊戸棚１０から下方に吊り下げるように支持してアイレベルゾーン１３の上部に吊下げラック板１４を配置し、この吊下げラック板１４に例えば調理本１５や薄型ポータブルテレビ１６等を見易い状態で保持しておくことにより、これらを見ながら調理を行うことができるようにするものである。
【００１３】
すなわち、本第１実施形態のキッチン用吊戸棚１０は、図２及び図３にも示すように、キッチンカウンター１１の上方に設けられ、底板１７の下方の収納凹部１８に吊下げラック板１４が出入れ可能に収納される吊戸棚であって、収納凹部１８は、底板１７の周縁から下方に延設する下部周壁１９に囲まれて形成されており、吊下げラック板１４は、収納凹部１８の内側に回動可能に軸支されており、収納凹部１８から下方に吊下げられた使用状態と、上方に回動させて収納凹部１８に嵌め込まれた収納状態とを切り換えることができるようになっている。
【００１４】
また、本第１実施形態では、吊下げラック板１４は、収納凹部１８の背面側の端部に回動可能に軸支されており、収納凹部１８の背面側から下方に吊下げられた使用状態（図２参照）と、正面側に回動させて収納凹部１８に嵌め込まれた収納状態（図３参照）とを切り換えることができるようになっている。
【００１５】
さらに、本第１実施形態によれば、吊下げラック板１４は、回動可能に軸支される収納凹部１８の背面側における回動軸２７と平行な折り畳みヒンジ部２０ａ，２０ｂ，２０ｃを介して少なくとも一箇所以上（本実施形態では３箇所）で折畳み可能な構成を備えており、折畳んだ状態で収納凹部１８に嵌め込まれるようになっている。
【００１６】
本第１実施形態によれば、キッチンカウンター１１は、例えばシステムキッチンに用いられる公知のキッチンカウンターと同様の構成を備えており、水槽、調理台、ガス台等が組み込まれている。また例えば６００〜７００ｍｍ程度の奥行きと、７００〜８５０ｍｍ程度の高さを有していて、ダイニングスペースとの間の仕切り壁２１に沿って、対面開口２２の下辺部分の笠木２３よりも下方に配置されてキッチンスペースに取り付けられる。
【００１７】
キッチン用吊戸棚１０は、後述する構成を除いて、例えばシステムキッチンに用いられる公知の吊戸棚と同様の構成を備えており、左右に区画された複数の戸棚２４や、排気フード２５等が組み込まれている。そして、本第１実施形態によれば、キッチン用吊戸棚１０は、従来の吊戸棚と異なる構成として、戸棚２４の下部に収納凹部１８が設けられており、この収納凹部１８に吊下げラック板１４が出入れ可能に収納されている。
【００１８】
収納凹部１８は、例えば戸棚２４の周囲を囲む側面板２６ａや背面板２６ｂ、隣接する戸棚２４を区画する仕切板２６ｃ等を、前面板を構成する扉板２６ｄを含めて、底板１７よりも例えば３０〜１００ｍｍ程度下方に延設させることにより、これらの延設部分を下部周壁１９として、この下部周壁１９によって囲まれる、例えば４５０〜９００ｍｍ程度の幅と、３００〜４００ｍｍ程度の奥行きの矩形形状に下面が開口する凹部として形成されることになる。
【００１９】
吊下げラック板１４は、例えば３〜２０ｍｍ程度の厚さのプラスチック板や木製板からなり、各収納凹部１８において、例えば側面板２６ａや仕切板２６ｃの下方延設部分に両端を支持させて収納凹部１８の背面側の端部に取り付けられた例えば金属製の丸棒からなる回動軸２７に、例えば回転装着スリーブ２８を介して取り付けられて、回動可能に軸支されることになる。また、吊下げラック板１４は、収納凹部１８の下面の開口形状よりも若干小さく、これと略同様の矩形形状を有する第１平板１４ａと、該第１平板１４ａの先端縁部にヒンジ部２０ａを介して折畳み可能に接合された、第１平板１４ａよりも長さの短い第２平板１４ｂと、該第２平板１４ｂの先端縁部にヒンジ部２０ｂを介して折畳み可能に接合された、帯板状の第３平板１４ｃと、該第３平板１４ｃの先端縁部にヒンジ部２０ｃを介して折畳み可能に接合された、帯板状の第４平板１４ｄとからなる。
【００２０】
これらの平板１４ａ，１４ｂ，１４ｃ，１４ｄを接合する折畳みヒンジ部２０ａ，２０ｂ，２０ｃは、吊下げラック板１４が軸支される回動軸２７と平行に延設すると共に、例えば当該折畳みヒンジ部２０ａ，２０ｂ，２０ｃを挟んだ各両側の平板１４ａ，１４ｂ，１４ｃ，１４ｄの側縁部に跨るようにして、ヒンジ金具２９が取り付けられることにより、各平板１４ａ，１４ｂ，１４ｃ，１４ｄを回動させる。これによって、図２に示す吊下げラック板１４を開いた使用状態と、図３に示す吊下げラック板１４を折り畳んだ収納状態とを、切り換えることができるようになっている。
【００２１】
ここで、使用状態では、第１平板１４ａと第２平板１４ｂとの折畳みヒンジ部２０ａは、各平板１４ａ，１４ｂの端面同士が当接するまで開放されて、略１８０度開くことができるようになっている。また第２平板１４ｂと第３平板１４ｃとの折畳みヒンジ部２０ｂは、第３平板１４ｃの端面が第２平板１４ｂの側縁部に当接するまで開放されて、略９０度開くことができるようになっており、第３平板１４ｃと第４平板１４ｄとの折畳みヒンジ部２０ｃは、第４平板１４ｄの端面が第３平板１４ｃの側縁部に当接するまで開放されて、略９０度開くことができるようになっている。これによって、開かせた吊下げラック板１４の先端部分には、コの字形状の載置溝３０が形成されることになる。さらに、吊下げラック板１４を開いた際に、回動軸２７に軸支され側の第１平板１４ａの端面は、背面板１６ｂの下方延設部分による下部周壁１９の内側面に設けられた当接リブ３１（図３参照）に当接することにより第１平板１４ａの回動を規制して、吊下げラック板１４を安定した状態で収納凹部１８から下方に吊下げることができるようになっている。
【００２２】
吊下げラック板１４を吊下げた使用状態から折り畳んで収納凹部１８に収納するには、載置溝３０に保持されていた調理本１５や薄型ポータブルテレビ１６等を取り外した後に、折畳みヒンジ部２０ａ，２０ｂ，２０ｃを介して第４平板１４ｄから順次内側に折り重ねるようにして折り畳んでゆき、最後に第１平板１４ａを回動軸２７を中心として正面側に回動させて、当該第１平板１４ａによって収納凹部１８の下面の開口を覆うようにしつつ、各平板１４ａ，１４ｂ，１４ｃ，１４ｄを一体として収容凹部１８に嵌め込んで収納する。また、例えば図４に示すように、底板１７の先端面に回転可能に支持させて取り付けた係止フック３２を、例えば第１平板１４ａの先端下面から突出して設けた係止突起３３に係止することにより、吊下げラック板１４を折り畳んで収納凹部１８に収納した状態を容易に保持することができるようになっている。なお、収容凹部１８の前面側の上部角部分には、底板１７に支持されて、背面側に向けて斜め下方を照らす照明具３５が取り付けられており（図３参照）、この照明具３５によって、使用状態の開いた吊下げラック板１４の表面を効果的に照明することができるようになっている。
【００２３】
そして、本第１実施形態のキッチン用吊戸棚１０によれば、調理時には例えば調理本を吊下げラック板１４によって見易い状態でアイレベルゾーン１３に保持しておくことができると共に、非使用時には、吊戸棚１０の下部に吊下げラック板１４を目立たないように容易に収納しておくことができる。すなわち、本実施形態によれば、収納凹部１８は、底板１７の周縁から下方に延設する下部周壁１９に囲まれて形成されており、吊下げラック板１４は、収納凹部１８の背面側の端部に回動可能に軸支されており、収納凹部１８の背面側から下方に吊下げられた使用状態と、正面側に回動させて収納凹部１８に嵌め込まれた収納状態とを切り換えることができるので、吊下げラック板１４を開放した際に、アイレベルゾーン１３の上部の余った領域において、調理に支障がなく且つ調理本等が見易い、吊戸棚１０の背面側から吊下げラック板１４を吊り下げることが可能になり、これによって調理本等を調理をしながら見易い状態に保持することが可能になる。また、吊下げラック板１４を収納凹部１８に収納する際に、当該吊下げラック板１４の平板１４ａによって収納凹部１８の下面の開口を覆うことが可能になり、これによって下方から観た場合でも、吊下げラック板１４の存在を目立たなくして吊戸棚の美観を向上させることが可能になる。
【００２４】
さらに、本実施形態によれば、吊下げラック板１４は、折畳みヒンジ部２０ａ，２０ｂ，２０ｃを介して折畳み可能な構成を備えているので、キッチン用吊戸棚１０や収納凹部１８の奥行きよりも長い相当の高さで吊下げラック板１４を吊り下げることを可能にして、アイレベルゾーン１３をさらに有効に活用することが可能になる。
【００２５】
図５（ａ），（ｂ）は、本発明の好ましい第２実施形態に係るキッチン用吊戸棚５０を示すものである。本第２実施形態のキッチン用吊戸棚５０によれば、吊下げラック板５１は、収納凹部１８の正面側の端部に回動可能に軸支されており、収納凹部１８の正面側から下方に吊下げられた使用状態（図５（ａ）参照）と、背面側に回動させて収納凹部１８に嵌め込まれた収納状態（図５（ｂ）参照）とを切り換えることができるようになっている。また吊下げラック板５１は、回動可能に軸支される収納凹部１８の正面側における回動軸５２と平行な折り畳みヒンジ部５３ａ，５３ｂ，５３ｃを介して、少なくとも一箇所以上（本実施形態では３箇所）で折畳み可能な構成を備えており、折畳んだ状態で収納凹部１８に嵌め込まれるようになっている。
【００２６】
すなわち、吊下げラック板５１は、第１平板５１ａと、第１平板５１ａの先端縁部にヒンジ金具によるヒンジ部５３ａを介して折畳み可能に接合された第２平板５１ｂと、第２平板５１ｂの先端縁部にヒンジ金具によるヒンジ部５３ｂを介して折畳み可能に接合された帯板状の第３平板５１ｃと、第３平板５１ｃの先端縁部にヒンジ金具によるヒンジ部５３ｃを介して折畳み可能に接合された帯板状の第４平板５１ｄとからなる。また、吊下げラック板５１を吊下げた使用状態では、第１平板５１ａと第２平板５１ｂとの折畳みヒンジ部５３ａは、略１８０度開くことができるようになっおり、第２平板５１ｂと第３平板５１ｃとの折畳みヒンジ部２０ｂは、略９０度開くことができるようになっており、第３平板５１ｃと第４平板５１ｄとの折畳みヒンジ部２０ｃは、略９０度開くことができるようになっている。
【００２７】
さらに、吊下げラック板５１を吊下げた使用状態から折り畳んで収納凹部１８に収納するには、折畳みヒンジ部５３ｃ，５３ｂを介して第４平板５１ｄ及び第３平板５１ｃを順次第２平板５１ｂの正面側に折り重ねるようにして折り畳んだ後、第２平板５１ｂを第１平板５１ａの背面側に折り畳み、さらに第１平板５１ａを回動軸５２を中心として背面側に回動させて、当該第１平板１４ａによって収納凹部１８の下面の開口を覆うようにしつつ、各平板５１ａ，５１ｂ，５１ｃ，５１ｄを一体として収納凹部１８に嵌め込んで収納する。さらにまた、収納凹部１８の背面側開口縁部の内側面には、例えば固定板５４ａと固定板５４ａに対して略９０度回転可能な回転支持板５４ｂとからなる止め金具５４が設けられており、収納凹部１８に嵌め込んだ吊下げラック板５１の第１平板５１ａの周縁部を、止め金具５４の回転支持板５４ｂに着脱可能に係止することにより、吊下げラック板５１を折り畳んで収納凹部１８に収納した状態を容易に保持することができるようになっている。
【００２８】
そして、本第２実施形態のキッチン用吊戸棚５０によっても、調理時には例えば調理本を吊下げラック板５１によって見易い状態でアイレベルゾーン１３に保持しておくことができると共に、非使用時には、吊戸棚１０の下部に吊下げラック板５１を目立たないように容易に収納しておくことが可能になり、これによって、上記第１実施形態のキッチン用吊戸棚１０と同様の作用効果が奏されることになる。
【００２９】
なお、本発明は上記各実施形態に限定されることなく種々の変更が可能である。例えば、本発明のキッチン用吊戸棚は、対面式キッチンに限定されることなく、その他の種々のキッチンに用いる吊戸棚として採用することができる。また、好ましくは折畳みヒンジ部のヒンジ金具を覆って、例えば合成樹脂やゴム等からなるカバー体３４（図２参照）を設けることもできる。さらに、吊下げラック板は、折畳みヒンジ部を介して折畳み可能な構成とする必要は必ずしもなく、例えば図６に示すように、収納凹部１８にそのままの形態で収納できる形状に吊下げラック板１４’を形成することもできる。さらにまた、吊下げラック板の使用状態でキッチン用吊戸棚の正面に配置される部分や、収納状態でキッチン用吊戸棚の下面に配置される部分に、吊下げ用又は落下抑え用のパイプやマグネット板等のその他の部材を、美観を損なわない範囲で取り付けておくこともできる。
【図面の簡単な説明】
【００３０】
【図１】本発明の好ましい第１実施形態に係るキッチン用吊戸棚が用いられるキッチンを例示する斜視図である。
【図２】本発明の好ましい第１実施形態に係るキッチン用吊戸棚の吊下げラック板を開いて使用する状態の要部斜視図である。
【図３】本発明の好ましい第１実施形態に係るキッチン用吊戸棚の吊下げラック板を収納した状態の要部断面図である。
【図４】吊下げラック板を収納した状態を保持する係止手段を例示する部分正面図である。
【図５】（ａ）は、本発明の好ましい第２実施形態に係るキッチン用吊戸棚の吊下げラック板を開いて使用する状態の要部斜視図、（ｂ）は、本発明の好ましい第２実施形態に係るキッチン用吊戸棚の吊下げラック板を収納した状態の要部断面図及びＡ部詳細図である。
【図６】吊下げラック板の他の形態を例示する斜視図である。
【符号の説明】
【００３１】
１０，５０  キッチン用吊戸棚
１１  キッチンカウンター
１３  アイレベルゾーン
１４，１４’，５１  吊下げラック板
１４ａ，５１ａ  第１平板
１４ｂ，５１ｂ  第２平板
１４ｃ，５１ｃ  第３平板
１４ｄ，５１ｄ  第４平板
１５  調理本
１６  薄型ポータブルテレビ
１７  底板
１８  収納凹部
１９  下部周壁
２０ａ，２０ｂ，２０ｃ，５３ａ，５３ｂ，５３ｃ  折畳みヒンジ部
２４  戸棚
２６ａ  側面板
２６ｂ  背面板
２６ｃ  仕切板
２６ｄ  扉板
２７，５２  回動軸
２８  回転装着スリーブ
２９  ヒンジ金具
３０  載置溝
３１  当接リブ
３２  係止フック
３３  係止突起
３４  カバー体
３５  照明具
５４  止め金具
【図１】
2006192262.tif 000003
【図２】
2006192262.tif 000004
【図３】
2006192262.tif 000005
【図４】
2006192262.tif 000006
【図５】
2006192262.tif 000007
【図６】
2006192262.tif 000008